(57)【要約】【課題】家庭の駐車場やアプローチに降り積もる雪を融かす融雪装置において、表面プレートを誘導加熱する加熱コイルを流れる電流値が正常でないと判断されたとき、融雪系統への電力供給を停止し、安全性と信頼性を向上する。【解決手段】金属製の表面プレートと表面プレートを誘導加熱する加熱コイルで形成される加熱ユニット５を接続して融雪系統１０を形成し、融雪系統１０への供給電力を電力供給手段１１により制御し、系統電力制御手段１３により融雪系統１０を形成する加熱ユニット５の接続数に応じて、電力供給手段１１への電力供給量を指示することで、加熱ユニット１個あたりの電力が所定量となるように制御する。系統電力制御手段１３は、コイル電流検知手段１６により検知した加熱コイルを流れる電流が予め設定されている正常条件値の範囲外にあるとき、融雪系統１０への電力供給を停止するよう電力供給手段１１へ指示する。【選択図】  図１
2004176451.tif 000002
【特許請求の範囲】
【請求項１】
金属製の表面プレートとこの表面プレートを誘導加熱する加熱コイルで形成される加熱ユニットと、この加熱ユニットを少なくとも１個電気的に接続して形成した融雪系統と、この融雪系統への供給電力を制御する電力供給手段と、この電力供給手段に電源を供給する電源供給手段と、前記加熱コイルを流れる電流を検知するコイル電流検知手段と、前記融雪系統を形成する加熱ユニットの接続数に比例した電力供給量となるように前記電力供給手段に指示することにより加熱ユニット１個あたりの電力が所定量となるように制御する系統電力制御手段とを備え、前記系統電力制御手段は、前記コイル電流検知手段により検知したコイル電流が予め設定されている正常条件値の範囲外にあるとき、前記融雪系統への電力供給を停止するよう前記電力供給手段へ指示するようにした融雪装置。
【請求項２】
融雪系統を複数個組み合わせて任意の融雪領域を形成し、系統電力制御手段は、各融雪系統毎にコイル電流検知手段により検知したコイル電流の内のいずれかが予め設定されている正常条件値の範囲外にあるとき、すべての融雪系統への電力供給を停止するよう各電力供給手段へ指示するようにした請求項１記載の融雪装置。
【請求項３】
融雪系統を複数個組み合わせて任意の融雪領域を形成し、系統電力制御手段は、コイル電流検知手段により検知したコイル電流が予め設定されている正常条件値の範囲外にある融雪系統のみ電力供給を停止するよう各電力供給手段へ指示するようにした請求項１記載の融雪装置。
【請求項４】
系統電力制御手段は、コイル電流検知手段により検知したコイル電流が正常条件値の範囲外にあるために融雪系統への電力供給を停止した場合でも、一定時間経過後に再度電力を供給し、そのときコイル電流が正常条件値の範囲内にあれば、そのまま電力の供給を継続するよう電力供給手段へ指示するようにした請求項１〜３のいずれか１項に記載の融雪装置。
【請求項５】
電源電圧を検知する電源電圧検知手段を備え、前記電源電圧検知手段により検知した電源電圧に応じて、予め設定されているコイル電流の正常条件値を変更するようにした請求項１〜４のいずれか１項に記載の融雪装置。
【請求項６】
融雪系統を形成する加熱ユニットの接続数を入力する加熱ユニット数入力手段を備え、前記加熱ユニット数入力手段の入力結果に応じて、予め設定されているコイル電流の正常条件値を変更するようにした請求項１〜５のいずれか１項に記載の融雪装置。
【請求項７】
報知動作をする報知手段を備え、コイル電流検知手段により検知したコイル電流が設定されている正常条件値の範囲外にあるとき、前記報知手段によりその旨を報知するようにした請求項１〜６のいずれか１項に記載の融雪装置。
【請求項８】
表示動作をする表示手段を備え、コイル電流検知手段により検知したコイル電流が設定されている正常条件値の範囲外にあるとき、前記表示手段によりその旨を表示するようにした請求項１〜６のいずれか１項に記載の融雪装置。
【発明の詳細な説明】
【０００１】
【発明の属する技術分野】
本発明は、家庭の駐車場やアプローチに降り積もる雪を融かす融雪装置に関するものである。
【０００２】
【従来の技術】
従来、この種の融雪装置として、加熱素子と、その加熱素子を装着するケースと、その加熱素子によって加熱される表面プレートからなる加熱ユニットを複数個組み合わせたものを地表に設置することによって、融雪領域を自在に設定できるようにしたものがある（例えば、特許文献１参照）。
【０００３】
また、加熱素子に高周波電流を通電することにより、金属製の表面プレートを誘導加熱して、高速に表面温度を上昇させて、短時間で効率よく融雪することができるものもある（例えば、特許文献２参照）。
【０００４】
【特許文献１】
特開２００２−２２７１１５号公報（第４頁）
【特許文献２】
特開２００２−２２７１１３号公報（第５頁）
【０００５】
【発明が解決しようとする課題】
これら従来の装置の特徴を組み合わせることによって、使用者のニーズに応じて融雪領域を自在に設定することができ、なおかつエネルギー効率のよい融雪装置を作ることが可能である。
【０００６】
しかしながら、加熱ユニットを地表に設置することから、何らかの衝撃が加わることによって（例えば、車の出入りなど）、表面プレートが外れてしまうなどの異常が発生する可能性がある。そのような状態のまま動作を続けると、装置の故障やプレートの外れているところにエネルギーを供給するという無駄が発生してしまう。
【０００７】
本発明は上記従来の課題を解決するもので、表面プレートを誘導加熱する加熱コイルを流れる電流値が正常でないと判断されたとき、融雪系統への電力供給を停止することで、安全で信頼性の高い融雪装置を提供することを目的としている。
【０００８】
【課題を解決するための手段】
本発明は上記目的を達成するために、金属製の表面プレートとこの表面プレートを誘導加熱する加熱コイルで形成される加熱ユニットを少なくとも１個電気的に接続して融雪系統を形成し、この融雪系統への供給電力を電力供給手段により制御し、この電力供給手段への電源を電源供給手段により供給し、系統電力制御手段により融雪系統を形成する加熱ユニットの接続数に応じて、電力供給手段への電力供給量を指示することで、加熱ユニット１個あたりの電力が所定量となるように制御するよう構成し、系統電力制御手段は、コイル電流検知手段により検知した加熱コイルを流れる電流が予め設定されている正常条件値の範囲外にあるとき、融雪系統への電力供給を停止するよう電力供給手段へ指示するように構成したものである。
【０００９】
これにより、車の出入りの際の衝撃などで表面プレートが外れたり、表面プレートを誘導加熱する加熱コイルの断線やショート、加熱ユニットの接続数誤りなどの異常が発生して、加熱コイルを流れる電流値が正常でないと判断されたとき、融雪系統への電力供給を停止することでき、安全で信頼性の高い融雪装置を提供することができる。
【００１０】
【発明の実施の形態】
本発明の請求項１に記載の発明は、金属製の表面プレートとこの表面プレートを誘導加熱する加熱コイルで形成される加熱ユニットと、この加熱ユニットを少なくとも１個電気的に接続して形成した融雪系統と、この融雪系統への供給電力を制御する電力供給手段と、この電力供給手段に電源を供給する電源供給手段と、前記加熱コイルを流れる電流を検知するコイル電流検知手段と、前記融雪系統を形成する加熱ユニットの接続数に比例した電力供給量となるように前記電力供給手段に指示することにより加熱ユニット１個あたりの電力が所定量となるように制御する系統電力制御手段とを備え、前記系統電力制御手段は、前記コイル電流検知手段により検知したコイル電流が予め設定されている正常条件値の範囲外にあるとき、前記融雪系統への電力供給を停止するよう前記電力供給手段へ指示するようにしたものであり、車の出入りの際の衝撃などで表面プレートが外れたり、表面プレートを誘導加熱する加熱コイルの断線やショート、加熱ユニットの接続数誤りなどの異常が発生して、加熱コイルを流れる電流値が正常でないと判断された場合に、融雪系統への電力供給を停止することできるため、安全で信頼性の高い運転を行うことができる。
【００１１】
請求項２に記載の発明は、上記請求項１に記載の発明において、融雪系統を複数個組み合わせて任意の融雪領域を形成し、系統電力制御手段は、各融雪系統毎にコイル電流検知手段により検知したコイル電流の内のいずれかが予め設定されている正常条件値の範囲外にあるとき、すべての融雪系統への電力供給を停止するよう各電力供給手段へ指示するようにしたものであり、表面プレートが外れたり、加熱コイルの断線やショート、加熱ユニットの接続数誤りなどの異常がどの融雪系統で発生した場合に、すべての融雪系統への電力供給を停止することができるため、より安全性の高い運転を行うことができる。
【００１２】
請求項３に記載の発明は、上記請求項１に記載の発明において、融雪系統を複数個組み合わせて任意の融雪領域を形成し、系統電力制御手段は、コイル電流検知手段により検知したコイル電流が予め設定されている正常条件値の範囲外にある融雪系統のみ電力供給を停止するよう各電力供給手段へ指示するようにしたものであり、表面プレートが外れたり、加熱コイルの断線やショート、加熱ユニットの接続数誤りなどの異常が発生した融雪系統のみ電力供給を停止し、正常な融雪系統には電力供給を継続することができるため、安全性を確保しつつ、より効率的な運転を行うことができる。
【００１３】
請求項４に記載の発明は、上記請求項１〜３に記載の発明において、系統電力制御手段は、コイル電流検知手段により検知したコイル電流が正常条件値の範囲外にあるために融雪系統への電力供給を停止した場合でも、一定時間経過後に再度電力を供給し、そのときコイル電流が正常条件値の範囲内にあれば、そのまま電力の供給を継続するよう電力供給手段へ指示するようにしたものであり、ノイズなどによりコイル電流の誤検知を行い、運転を停止した場合でも、運転を再開させることができるため、異常は発生していないのに融雪運転が停止したままという事態を防ぐことができ、信頼性の高い運転を行うことができる。
【００１４】
請求項５に記載の発明は、上記請求項１〜４に記載の発明において、電源電圧を検知する電源電圧検知手段を備え、前記電源電圧検知手段により検知した電源電圧に応じて、予め設定されているコイル電流の正常条件値を変更するようにしたものであり、電源電圧が変動しても、それに応じてコイル電流の条件値を変更することができるため、異常は発生していないのに融雪運転を停止してしまうという事態を防ぐことができ、信頼性の高い運転を行うことができる。
【００１５】
請求項６に記載の発明は、上記請求項１〜５に記載の発明において、融雪系統を形成する加熱ユニットの接続数を入力する加熱ユニット数入力手段を備え、前記加熱ユニット数入力手段の入力結果に応じて、予め設定されているコイル電流の正常条件値を変更するようにしたものであり、電流の損失があっても、加熱ユニット数入力手段の入力結果により条件値を変更することができるため、異常は発生していないのに融雪運転を停止してしまうという事態を防ぐことができる。
また、一度施工した後でも、使用者のニーズに応じて融雪領域を自在に変更することができる。
【００１６】
請求項７に記載の発明は、上記請求項１〜６に記載の発明において、報知動作をする報知手段を備え、コイル電流検知手段により検知したコイル電流が設定されている正常条件値の範囲外にあるとき、前記報知手段によりその旨を報知するようにしたものであり、表面プレートが外れたり、加熱コイルの断線やショート、加熱ユニットの接続数誤りなどの異常が発生した場合に、使用者へ異常が発生していることを速やかに知らせることができるため、使用者が異常に気づかないまま運転を継続することによって生じる故障やエネルギーの浪費を防ぐことができる。
【００１７】
請求項８に記載の発明は、上記請求項１〜６に記載の発明において、表示動作をする表示手段を備え、コイル電流検知手段により検知したコイル電流が設定されている正常条件値の範囲外にあるとき、前記表示手段によりその旨を表示するようにしたものであり、表面プレートが外れたり、加熱コイルの断線やショート、加熱ユニットの接続数誤りなどの異常が発生した場合に、使用者へ異常が発生していることを速やかに知らせることができるため、使用者が異常に気づかないまま運転を継続することによって生じる故障やエネルギーの浪費を防ぐことができる。
【００１８】
【実施例】
以下、本発明の実施例について、図面を参照しながら説明する。
【００１９】
（実施例１）
本発明の融雪装置は、複数個の加熱ユニットを路面の上面に設置して、降雪を融雪するものであって、図３に示すように、歩道２から玄関３および駐車スペース４に至るアプローチを含めた融雪装置敷設部１を形成するものである。
【００２０】
加熱ユニット５は、図２に示すように、車両等の荷重に十分耐え得る金属製の表面プレート６と、この表面プレート６で保護される加熱コイル７とから構成し、アスファルト９の上に設置される。加熱コイル７は、高周波電源から供給される高周波電流により交番磁界を発生し、この交番磁界で表面プレート６を誘導加熱するものである。加熱ユニット間の接続は、電気接続線８で電気的に直列接続を行うようにしている。
【００２１】
融雪系統１０は、図１に示すように、加熱ユニット５を複数個接続して構成し、融雪系統１０を複数個組み合わせて任意の融雪領域を自在に設定できるようにしている。
【００２２】
系統電力制御手段１３は、マイクロコンピュータで構成し、加熱ユニット５の接続数に比例した電力供給量となるように電力供給手段１１に指示するように構成している。電力供給手段１１は、高周波電源で構成され、融雪系統１０へ接続している。そして、商用電源を供給する電源供給手段１２からの電源電流を検知して、融雪系統１０への供給電力が系統電力制御手段１３から指示された供給電力量となるように電源電流を制御するように構成している。
【００２３】
電力供給手段１１を構成する高周波電源は、電源と加熱コイル７との間に設けたＩＧＢＴ等の半導体パワー素子をスイッチングにより加熱コイル７へ電力を供給するもので、スイッチング周波数によって供給電力を制御できるように構成している。
【００２４】
降雪検知手段１４は、降雪の有無に応じた信号を系統電力制御手段１３に入力するもので、この降雪検知手段１４は、発光素子と受光素子で構成し、発光素子から放たれた光が雪に反射して受光素子で検出されることにより降雪の有無を検知するようにしている。
【００２５】
自動・手動選択手段１５は、降雪検知手段１４の検出結果に基づいて、自動で加熱を行うか、強制的に加熱を行うかを使用者が選択入力するものである。
【００２６】
コイル電流検知手段１６は、加熱コイル７を流れる電流を検知するするもので、カレントトランスにより加熱コイル７を流れる電流を電圧に変換し、系統電力制御手段１３に入力する。系統電力制御手段１３は、この入力値とマイクロコンピュータの記憶領域内に予め記憶してある正常動作の条件値を比較し、その比較結果を基に、電力供給手段１１へ供給電力量を指示する。
【００２７】
電源電圧検知手段１７は、電源電圧を検知するもので、商用電源のＡＣ電圧をダイオードで整流した後、抵抗で分圧したものを系統電力制御手段１３に入力する。系統電力制御手段１３は、この入力値に応じて、マイクロコンピュータの記憶領域内に記憶してある正常動作の条件値を書き換える。
【００２８】
図４は、この実施例の融雪装置の表示及び操作部を示した図である。図４に示すように、この融雪装置には、加熱ユニット数入力手段１８である系統選択スイッチ２１や加熱ユニット数入力スイッチ２２、自動・手動選択手段１５である自動・手動選択スイッチ２３が配置されている。また、選択した融雪系統番号、入力した加熱ユニット数、選択した運転コースおよびコイル電流が異常かどうかを表示する表示手段２０である液晶表示器が配置されている。
【００２９】
報知手段１９は、ブザーで構成され、操作部において操作を受け付けたときや、加熱コイル電流が異常と判断された場合に鳴動するように制御される。
【００３０】
上記構成において動作を説明する。まず、使用者は、自動・手動選択手段１５により、自動運転を行うか、手動運転を行うかを選択する。自動運転を選択した場合は、系統電力制御手段１３は、降雪検知手段１４の検知結果に基づいて、雪が降っている間は加熱を行い、雪が降っていない間は加熱を行わないように制御する。手動運転を選択した場合は、系統電力制御手段１３は、降雪の有無に関わらず、強制的に加熱を行うように制御する。
【００３１】
加熱を行うときには、加熱コイル７に電力供給手段１１を構成する高周波電源から高周波電流を供給することによって生じる交番磁界により、表面プレート６を誘導加熱するが、このとき、加熱コイル７を流れる電流をコイル電流検知手段１６により検知する。図５は電源電流とコイル電流の関係を示す図である。
【００３２】
図５に示すように、電力供給手段１１は、加熱ユニット数が３個のときは、電源電流が目標値Ａになるように制御し、加熱ユニット数が６個のときは、電源電流が目標値Ｂになるように制御する。このとき、電源電流の目標値Ａ、Ｂは、加熱ユニット数に応じて、系統電力制御手段１３から指示された値である。
【００３３】
そして、一定時間が経過して、動作が安定すると、加熱ユニット数に関わらず、コイル電流は一定となる。したがって、加熱ユニット５が６個接続されているという設定をしているのに、実際には３個しか接続されていないといった状態では、系統電力制御手段１３は、加熱ユニット６個分の電力になるように指示を出すことから、電力供給手段１１は、電源電流が目標値Ｂになるように制御するため、コイル電流はγとなり、正常時に比べて増加することになる。
【００３４】
また、表面プレート６が外れるという異常が発生した場合、加熱対象がなくなってしまうことから、コイル電流は正常時に比べて減少することになる。また、加熱コイル７がショートした場合には、コイル電流は正常時に比べて増加し、断線した場合には、コイル電流は流れなくなる。そこで、正常状態か異常状態かを判定するための条件値α、βを予め設定しておき、その条件値と検知したコイル電流値の比較を行う。
【００３５】
このとき、検知したコイル電流値が条件値α以下、またはβ以上であれば、異常状態であると判定し、系統電力制御手段１３は、融雪系統１０への電力供給を停止するように電力供給手段１１へ指示し、加熱を行わないように制御する。
【００３６】
これにより、車の出入りの際の衝撃などで表面プレート６が外れたり、加熱コイル７の断線やショート、加熱ユニット５の接続数誤りなどの異常が発生した場合に、融雪系統１０への電力供給を停止することができるので、安全で信頼性の高い融雪装置を提供することができる。
【００３７】
（実施例２）
図６に示すように、第１融雪系統２５は加熱ユニット５を５個接続して形成し、第２融雪系統２６は加熱ユニット５を４個接続して形成し、第３融雪系統２７は加熱ユニット５を３個接続して形成し、第４融雪系統２８は加熱ユニット５を３個接続して形成し、これら第１融雪系統２５、第２融雪系統２６、第３融雪系統２７および第４融雪系統２８を組み合わせて融雪領域を形成している。
【００３８】
ここで、各融雪系統には、高周波電源で構成した第１電力供給手段２９、第２電力供給手段３０、第３電力供給手段３１、第４電力供給手段３２を接続し、商用電源を供給する電源供給手段１２からの供給電力を制御するように構成している。
【００３９】
系統電力制御手段１３は、各融雪系統毎にコイル電流検知手段１６により検知したコイル電流の内のいずれかが予め設定されている正常条件値の範囲外にあるとき、すべての融雪系統への電力供給を停止するよう各電力供給手段へ指示するようにしている。他の構成は上記実施例１と同じであり、同一符号を付して説明を省略する。
【００４０】
上記構成において動作を説明する。系統電力制御手段１３は、各融雪系統に対して、上記実施例１と同様にして加熱制御を行う。また、上記実施例１と同様にコイル電流の異常を判定するが、そのとき、異常状態であると判定されれば、系統電力制御手段１３は、すべての融雪系統への電力供給を停止するように各電力供給手段へ指示し、加熱を行わないように制御する。
【００４１】
これにより、車の出入りの際の衝撃などで表面プレート６が外れたり、加熱コイル７の断線やショート、加熱ユニット５の接続数誤りなどの異常が発生した場合に、すべての融雪系統への電力供給を停止することができるので、より安全性の高い融雪装置を提供することができる。
【００４２】
（実施例３）
図６に示す系統電力制御手段１３は、コイル電流検知手段１６により検知したコイル電流が予め設定されている正常条件値の範囲外にある融雪系統のみ電力供給を停止するよう各電力供給手段へ指示するようにしている。他の構成は上記実施例２と同じである。
【００４３】
上記構成において動作を説明する。系統電力制御手段１３は、各融雪系統に対して、上記実施例１と同様にして加熱制御を行う。また、上記実施例１と同様にコイル電流の異常を判定するが、そのとき、異常状態であると判定されれば、系統電力制御手段１３は、異常であると判定された融雪系統のみ、電力供給を停止するように各電力供給手段へ指示し、加熱を行わないように制御する。
【００４４】
これにより、車の出入りの際の衝撃などで表面プレート６が外れたり、加熱コイル７の断線やショート、加熱ユニット５の接続数誤りなどの異常が発生した場合に、異常の起こった融雪系統のみ電力供給を停止することができるので、一箇所でも異常が発生すると、全く融雪運転がなされないという事態を防ぐことができ、安全性を確保しつつ、より効率的な融雪運転を行うことができる。
【００４５】
（実施例４）
図１に示す系統電力制御手段１３は、コイル電流検知手段１６により検知したコイル電流が正常条件値の範囲外にあるために融雪系統１０への電力供給を停止した場合でも、一定時間経過後に再度電力を供給し、そのときコイル電流が正常条件値の範囲内にあれば、そのまま電力の供給を継続するよう電力供給手段１１へ指示するようにしている。他の構成は上記実施例１と同じである。
【００４６】
上記構成において動作を説明する。系統電力制御手段１３は、融雪系統１０に対して、上記実施例１と同様にして加熱制御を行う。また、上記実施例１と同様にして、コイル電流の異常を判定するが、そのとき、異常状態であると判定されれば、系統電力制御手段１３は、融雪系統１０への電力供給を停止するように電力供給手段１１へ指示し、加熱を行わないように制御する。そして、一定時間経過後、再度電力の供給を行い、コイル電流の異常判定を行う。そのとき、正常であると判定されれば、そのまま電力供給を継続するように制御する。
【００４７】
これにより、表面プレート６が外れたり、加熱コイル７の断線やショート、加熱ユニット５の接続数誤りなどの異常が発生していないのに、商用電源を介して機器に侵入する雷サージやインパルスノイズなどにより異常と判定した場合に、再度異常判定を行うことにより、誤動作を防ぐことができるため、より信頼性の高い融雪装置を提供することができる。
【００４８】
（実施例５）
図１に示す系統電力制御手段１３は、電源電圧検知手段１７により検知した電源電圧に応じて、予め設定されているコイル電流の正常条件値を変更するようにしている。他の構成は上記実施例１と同じである。
【００４９】
上記構成において動作を説明する。系統電力制御手段１３は、融雪系統１０に対して、上記実施例１と同様にして加熱制御を行う。また、上記実施例１と同様にして、コイル電流の異常を判定するが、加熱コイル７を流れる電流は、正常状態でも電力供給手段１１に供給する電源電圧の変動に応じて変化するので、予め設定しておいた正常条件値の範囲から外れ、異常だと誤判定することがある。そこで、電源電圧検知手段１７により電源電圧を随時検知し、その値に応じて、予め設定しておいた条件値を変更する。
【００５０】
これにより、表面プレート６が外れたり、加熱コイル７の断線やショート、加熱ユニット５の接続数誤りなどの異常が発生していないのに、予め設定しておいた条件値では、電源電圧の変動によって異常と判定してしまうような場合に、電源電圧により随時条件値を変更することにより、異常の誤判定を防ぐことができるため、より信頼性の高い融雪装置を提供することができる。
【００５１】
（実施例６）
図１に示す系統電力制御手段１３は、加熱ユニット数入力手段１８の入力結果に応じて、予め設定されているコイル電流の正常条件値を変更するようにしている。他の構成は上記実施例１と同じである。
【００５２】
上記構成において動作を説明する。系統電力制御手段１３は、融雪系統１０に対して、上記実施例１と同様にして加熱制御を行う。また、上記実施例１と同様にして、コイル電流の異常を判定する。加熱コイル７を流れる電流は、上記実施例１で説明したように、融雪系統１０を形成する加熱ユニット５の接続数に関わらず、一定となるはずである。
【００５３】
一方、接続数が増えると、加熱ユニット５を接続するための電気接続線８が長くなってしまうため、途中での損失が大きくなってしまい、予め設定しておいた正常条件値の範囲から外れ、異常だと誤判定することがある。そこで、加熱ユニット数入力手段１８を構成する加熱ユニット数入力スイッチ２２により入力した加熱ユニット５の接続数に応じて、予め設定しておいた条件値を変更する。
【００５４】
これにより、表面プレート６が外れたり、加熱コイル７の断線やショート、加熱ユニット５の接続数誤りなどの異常が発生していないのに、予め設定しておいた条件値では、電流の損失によって異常と判定してしまうような場合に、加熱ユニット数入力スイッチ２２により入力した値により条件値を変更することにより、異常の誤判定を防ぐことができる。
【００５５】
また、一度施工した後でも、使用者のニーズに応じて融雪領域を自在に変更することができるため、より柔軟で信頼性の高い融雪装置を提供することができる。
【００５６】
（実施例７）
図１に示す系統電力制御手段１３は、コイル電流検知手段１６により検知したコイル電流が設定されている正常条件値の範囲外にあるとき、報知手段１９によりその旨を報知するようにしている。他の構成は上記実施例１と同じである。
【００５７】
上記構成において動作を説明する。系統電力制御手段１３は、融雪系統１０に対して、上記実施例１と同様にして加熱制御を行う。また、上記実施例１と同様にして、コイル電流の異常を判定するが、そのとき、異常状態であると判定されれば、系統電力制御手段１３は、融雪系統１０への電力供給を停止するように電力供給手段１１へ指示し、加熱を行わないように制御するとともに、報知手段１９であるブザーに信号を出力する。
【００５８】
これにより、車の出入りの際の衝撃などで表面プレート６が外れたり、加熱コイル７の断線やショート、加熱ユニット５の接続数誤りなどの異常が発生した場合に、使用者へ異常が発生していることを速やかに知らせることができ、使用者が異常に気づかないまま運転を継続することによって生じる故障やエネルギーの浪費を防ぐことができる。
【００５９】
なお、本実施例では、報知手段１９にブザーを用いたが、これは使用者に異常が発生していることを聴覚的に知らせることができる構成であれば何でもよい。
【００６０】
（実施例８）
図１に示す系統電力制御手段１３は、コイル電流検知手段１６により検知したコイル電流が設定されている正常条件値の範囲外にあるとき、表示手段２０によりその旨を表示するようにしている。他の構成は上記実施例１と同じである。
【００６１】
上記構成において動作を説明する。系統電力制御手段１３は、融雪系統１０に対して、上記実施例１と同様にして加熱制御を行う。また、上記実施例１と同様にして、コイル電流の異常を判定するが、そのとき、異常状態であると判定されれば、系統電力制御手段１３は、融雪系統１０への電力供給を停止するように電力供給手段１１へ指示し、加熱を行わないように制御するとともに、表示手段２０である液晶表示器に異常状態であることを表示するための信号を出力する。
【００６２】
これにより、車の出入りの際の衝撃などで表面プレート６が外れたり、加熱コイル７の断線やショート、加熱ユニット５の接続数誤りなどの異常が発生した場合に、使用者へ異常が発生していることを速やかに知らせることができ、使用者が異常に気づかないまま運転を継続することによって生じる故障やエネルギーの浪費を防ぐことができる。
【００６３】
なお、本実施例では、表示手段２０に液晶表示器を用いたが、使用者に異常が発生していることを視覚的に知らせることができる構成であれば何でもよい。
【００６４】
【発明の効果】
以上のように本発明の請求項１に記載の発明によれば、系統電力制御手段により融雪系統を形成する加熱ユニットの接続数に応じて、電力供給手段への電力供給量を指示することで、加熱ユニット１個あたりの電力が所定量となるように制御するよう構成し、系統電力制御手段は、コイル電流検知手段により検知した加熱コイルを流れる電流が予め設定されている正常条件値の範囲外にあるとき、融雪系統への電力供給を停止するよう電力供給手段へ指示するように構成したから、車の出入りの際の衝撃などで表面プレートが外れたり、表面プレートを誘導加熱する加熱コイルの断線やショート、加熱ユニットの接続数誤りなどの異常が発生して、加熱コイルを流れる電流値が正常でないと判断された場合に、融雪系統への電力供給を停止することできるため、安全で信頼性の高い運転を行うことができる。
【００６５】
また、請求項２に記載の発明によれば、融雪系統を複数個組み合わせて任意の融雪領域を形成し、系統電力制御手段は、各融雪系統毎にコイル電流検知手段により検知したコイル電流の内のいずれかが予め設定されている正常条件値の範囲外にあるとき、すべての融雪系統への電力供給を停止するよう各電力供給手段へ指示するようにしたから、表面プレートが外れたり、加熱コイルの断線やショート、加熱ユニットの接続数誤りなどの異常がどの融雪系統で発生した場合に、すべての融雪系統への電力供給を停止することができるため、より安全性の高い運転を行うことができる。
【００６６】
また、請求項３に記載の発明によれば、融雪系統を複数個組み合わせて任意の融雪領域を形成し、系統電力制御手段は、コイル電流検知手段により検知したコイル電流が予め設定されている正常条件値の範囲外にある融雪系統のみ電力供給を停止するよう各電力供給手段へ指示するようにしたから、表面プレートが外れたり、加熱コイルの断線やショート、加熱ユニットの接続数誤りなどの異常が発生した融雪系統のみ電力供給を停止し、正常な融雪系統には電力供給を継続することができるため、安全性を確保しつつ、より効率的な運転を行うことができる。
【００６７】
また、請求項４に記載の発明によれば、系統電力制御手段は、コイル電流検知手段により検知したコイル電流が正常条件値の範囲外にあるために融雪系統への電力供給を停止した場合でも、一定時間経過後に再度電力を供給し、そのときコイル電流が正常条件値の範囲内にあれば、そのまま電力の供給を継続するよう電力供給手段へ指示するようにしたから、ノイズなどによりコイル電流の誤検知を行い、運転を停止した場合でも、運転を再開させることができるため、異常は発生していないのに融雪運転が停止したままという事態を防ぐことができ、信頼性の高い運転を行うことができる。
【００６８】
また、請求項５に記載の発明によれば、電源電圧検知手段により検知した電源電圧に応じて、予め設定されているコイル電流の正常条件値を変更するようにしたから、電源電圧が変動しても、それに応じてコイル電流の条件値を変更することができるため、異常は発生していないのに融雪運転を停止してしまうという事態を防ぐことができ、信頼性の高い運転を行うことができる。
【００６９】
また、請求項６に記載の発明によれば、融雪系統を形成する加熱ユニットの接続数を入力する加熱ユニット数入力手段の入力結果に応じて、予め設定されているコイル電流の正常条件値を変更するようにしたから、電流の損失があっても、加熱ユニット数入力手段の入力結果により条件値を変更することができるため、異常は発生していないのに融雪運転を停止してしまうという事態を防ぐことができる。また、一度施工した後でも、使用者のニーズに応じて融雪領域を自在に変更することができる。
【００７０】
また、請求項７に記載の発明によれば、コイル電流検知手段により検知したコイル電流が設定されている正常条件値の範囲外にあるとき、報知手段によりその旨を報知するようにしたから、表面プレートが外れたり、加熱コイルの断線やショート、加熱ユニットの接続数誤りなどの異常が発生した場合に、使用者へ異常が発生していることを速やかに知らせることができるため、使用者が異常に気づかないまま運転を継続することによって生じる故障やエネルギーの浪費を防ぐことができる。
【００７１】
また、請求項８に記載の発明によれば、コイル電流検知手段により検知したコイル電流が設定されている正常条件値の範囲外にあるとき、表示手段によりその旨を表示するようにしたから、表面プレートが外れたり、加熱コイルの断線やショート、加熱ユニットの接続数誤りなどの異常が発生した場合に、使用者へ異常が発生していることを速やかに知らせることができるため、使用者が異常に気づかないまま運転を継続することによって生じる故障やエネルギーの浪費を防ぐことができる。
【図面の簡単な説明】
【図１】本発明の第１の実施例の融雪装置のブロック図
【図２】（ａ）同融雪装置の加熱ユニットの平面図
（ｂ）同融雪装置の加熱ユニットの断面図
【図３】同融雪装置の設置状態を示す斜視図
【図４】同融雪装置の表示操作部の正面図
【図５】同融雪装置の電源電流とコイル電流の関係を示す図
【図６】本発明の第２の実施例の融雪装置のブロック図
【符号の説明】
５  加熱ユニット
６  表面プレート
７  加熱コイル
１０  融雪系統
１１  電力供給手段
１２  電源供給手段
１３  系統電力制御手段
１６  コイル電流検知手段
【図１】
2004176451.tif 000003
【図２】
2004176451.tif 000004
【図３】
2004176451.tif 000005
【図４】
2004176451.tif 000006
【図５】
2004176451.tif 000007
【図６】
2004176451.tif 000008